(57)【要約】【課題】パウチ容器を自立姿勢に保持する保持具において、パウチ容器の内容物の注ぎ出し及び絞り出し（押し出し）も容易ならしめる。【手段】保持具は腰の強い樹脂シートから成っており、サイド折り目部１４を介して連続した表裏シート１２，１３を有している。表裏シート１２，１３の他側部は接着手段１６で一体に固定されている。保持具の上端はフラップ１７によって封止されており、閉塞部１９に袋体１の注出具２に嵌まり込む逃がし穴１９を形成している。閉塞部１９のうち逃がし穴１９の左右両側の部分は、パウチ容器における注出具本体５のフランジに下方から当接するストッパー部２１になっている。保持具は左右両側部に指を当てることでしっかりと把持することができ、また、表裏シート１２，１３に指を当てることで内容物をしっかり押し出すことができる。【選択図】図１
2009227331.tif 000002
【特許請求の範囲】
【請求項１】
可撓性素材製の袋体と、一部が前記袋体に上方から入り込んで残りは露出部になっている筒状の注出具本体とを備えており、前記袋体と注出具本体とは一体に溶着されていて袋体の上端のうち注出具本体を挟んだ左右両側は肩部になっており、かつ、前記注出具本体のうち袋体の外側に露出した部分でかつ袋体に近い部分には半径外側に張り出したフランジが形成されている、
という構成のパウチ容器を自立姿勢に保持できるものであり、かつ、前記パウチ容器の袋体よりは腰が強くて人が手で容易に撓み変形させ得る剛性のシート材から成っている、という保持具であって、
前記パウチ容器の袋体を抱持し得る下向き開口の胴部で全体又は略全体が構成されており、前記胴部は、下方には開口していて上端には閉塞部が形成されており、前記閉塞部には、前記パウチ容器における注出具本体の露出部を挿入できる逃がし穴と、前記パウチ容器における注出具本体のフランジに下方から当接し得るストッパー部とが形成されており、前記逃がし穴の周囲の部分を弾性変形させることでパウチ容器に上方から嵌め込むことが許容されている、
パウチ容器用保持具。
【請求項２】
前記胴部はパウチ容器における袋体の表面側に位置する表シートと袋体の裏面側に位置する裏シートとを備えており、前記表裏シートは左右何れかの一側のサイド折り目部を介して一体に連続していると共に、表裏シートの他側部は一体に固着されており、かつ、前記表裏シートのうち何れか一方のシートの上端に、他方のシートに重なるフラップがアッパー折り目部を介して一体に連続しており、前記フラップを他方のシートに固定することで前記閉塞部が形成されており、かつ、他方のシートとフラップとには前記逃がし穴が空いている、
請求項１に記載したパウチ容器用保持具。
【発明の詳細な説明】
【技術分野】
【０００１】
本願発明は、袋体に注出具を取り付けてなるパウチ容器の保持具に関するものである。
【背景技術】
【０００２】
袋体に注出具を取り付けたパウチ容器はボトル容器に代わるものとして広く使用されているが、袋体は腰が弱いため自立性に劣る問題である。また、人がパウチ容器を手で持って内容物を注ぎ出す（或いは、絞り出す又は押し出す）において、袋体を掴みにくいため内容物を注ぎ出しにくい場合がある。そこで、パウチ容器の自立性を確保したり注ぎ出しに際して手で持ち易いようにするための保持具が提案されている。
【０００３】
パウチ容器の注出具は袋体に溶着された筒状の注出具本体を有しており、この注出具本体に、ねじ式のキャップか、又は、プッシュ式のポンプを取り付けてい。いずれにしても、注出具本体は袋体から露出した箇所にフランジを有しており（フランジは、パウチ容器に内容物を充填するにおいて姿勢を保持しつつ移送するに際して吊支するために設けられている）、そこで、保持具は注出具本体のうちフランジの真下の部分を抱持するようになっており、フランジを支持してパウチ容器を吊った状態に保持している。
【０００４】
保持具の従来技術として、例えば特許文献１〜４が挙げられる。このうち特許文献１は、線材製の門形の前後フレームを下端において連続させると共に、前後フレームの上端には注出具本体を挟む湾曲部を形成したものであり、特許文献２はシートを素材とした折り畳み式のものであり、平板状の表裏シートの上端に折り目を介して水平状の頂面部を一体に設け、頂面部にパウチ容器の注出具本体が嵌まる透穴を形成し、かつ、表裏シートの下端には互いにそれぞれ底板を一体に設けたこれらの底板を重ね合わせている。
【０００５】
特許文献３も折り畳み式であり、これは、表シートと裏シートとが折り目を介して底板に一体に連続しており、更に、表シートと裏シートとの状態に、パウチ容器の注出具本体を前後方向から挟む挟持部が一体に形成されている。特許文献４も折り畳み式であり、表裏シートの縦長一側縁が折り目を介して側面板に一体に連続しており、かつ、表裏シートの状態にはそれぞれ水平姿勢の天面板が折り目を介して一体に繋がっており、天面板に、注出具本体に嵌まり込む凹所が形成されている。
【０００６】
また、特許文献５には、直方体構造の外箱内に袋容器を収納して成るいわゆるバッグインボックスにおいて、折り畳み式の外箱の上面板（フラップ）に、容器の口部を露出させるための逃がし穴を設けることが開示されている。
【特許文献１】特開平９−８６５６４号公報
【特許文献２】特開２００５−３２９９５５号公報
【特許文献３】特許第３９３６４６４号公報
【特許文献４】実開平６−５４５４３号のＣＤ−ＲＯＭ
【特許文献５】特開２００４−９９１１０号公報
【発明の開示】
【発明が解決しようとする課題】
【０００７】
パウチ容器の袋体はバリアー性を確保するため積層構造になっており、単なるフィルム製袋に比べるたら腰（剛性）は強く、また、一般にパウチ容器の袋体は表裏のシートを溶着することで構成されていて周囲はシートが２枚重ねになっていて多少は強度が高くなっており、このため、キャップ方式のパウチ容器の場合、人が袋体を手で軽く持って内容物を注ぎ出すことも不可能ではない。
【０００８】
他方、内容物がシャンプーやボディソープのように粘度が高い場合には袋体に圧力をかけて絞り出さねばならず、従って、内容物を綺麗に絞り出しできると重宝である。また、袋体は多少の腰の強さ（剛性）があるとはいうものの限度があるため、キャップを開けた状態で袋体を持ったときに不用意に加圧して誤って内容物を出してしまうことがあり、そこで、内容物が不用意に出ないようにするには注意深く袋体を持っておらねばならない、と言うように取り扱いに注意を要するものであり、従って、ボトルと同様にしっかりと持って内容物を注ぎ出しできると重宝である。
【０００９】
そこで従来技術を検討するに、特許文献１〜４はパウチ容器を静止状態に自立させるという機能においては問題ないと言えるが、内容物を注ぎ出すにおいてしっかりと把持できる機能や袋体に加圧する機能において不十分であり、使用者の要望に的確に応えているとは言い難い。つまり、特許文献１〜４のものは、保持具自体は人が手でしっかりと把持することができるのであるが、保持具は基本的には変形しない（又は変形しにくい）ため、保持具を強く握っても加圧力が袋体に作用することは殆ど無く、このため内容物を絞り出しにくいのである。
【００１０】
本願発明はこのような現状に鑑み成されたものであり、しっかり掴み得る把持機能と内容物を殆ど残らず綺麗に絞り出し得る注出機能とを備え、しかもコスト面においても優れている保持具を提供せんとするものである。
【課題を解決するための手段】
【００１１】
本願発明はパウチ容器の保持具であり、使用対象のパウチ容器は、良く知られているように、可撓性素材製の袋体と、一部が前記袋体に上方から入り込んで残りは露出部になっている筒状の注出具本体とを備えており、前記袋体と注出具本体とは一体に溶着されていて袋体の上端のうち注出具本体を挟んだ左右両側は肩部になっており、かつ、前記注出具本体のうち袋体の外側に露出した部分でかつ袋体に近い部分には半径外側に張り出したフランジが形成されている。本願発明の保持具は、前記パウチ容器の袋体よりは腰が強くて人が手で容易に撓み変形させ得る剛性のシート材から成っている。
【００１２】
そして、請求項１の発明では、前記パウチ容器の袋体を抱持し得る下向き開口の胴部で全体又は略全体が構成されており、前記胴部は、下方には開口していて上端には閉塞部が形成されており、前記閉塞部には、前記パウチ容器における注出具本体の露出部を挿入できる逃がし穴と、前記パウチ容器における注出具本体のフランジに下方から当接し得るストッパー部とが形成されており、前記逃がし穴の周囲の部分を弾性変形させることでパウチ容器に上方から嵌め込むことが許容されている。
【００１３】
本願発明の保持具は、例えば射出成形によって製造したり筒状体を素材として製造したりすることも可能であるが、請求項２の発明では、請求項２の発明に係る発明ではシート材を素材として製造されている。
【００１４】
すなわち請求項２の発明では、請求項１において、前記胴部はパウチ容器における袋体の表面側に位置する表シートと袋体の裏面側に位置する裏シートとを備えており、前記表裏シートは左右何れかの一側のサイド折り目部を介して一体に連続していると共に、表裏シートの他側部は一体に固着されており、かつ、前記表裏シートのうち何れか一方のシートの上端に、他方のシートに重なるフラップがアッパー折り目部を介して一体に連続しており、前記フラップを他方のシートに固定することで前記閉塞部が形成されており、かつ、他方のシートとフラップとには前記逃がし穴が空いている。
【００１５】
本願発明において、「固定」の用語は、人が持って動かしても簡単には離反しないという意味に使用している。従って、溶着のように破断しないと離反しないものはもとより、素材の弾性変形を利用した係合や粘着材による粘着のように、破損させることなく離反させ得る構造も含んでいる。
【発明の効果】
【００１６】
本願発明の保持具は、ストッパー部の存在により、従来の保持具と同様にパウチ容器を静止状態で自立姿勢に保持でき、また、保持具を掴んで傾けることでパウチ容器の内容物を注ぎ出すことができる。なお、パウチ容器の注出具がポンプ式である場合は、保持具をフラットな面に置いて使用することが可能である。
【００１７】
そして、本願発明の特徴の一つは、保持具が撓み変形可能でしかも底が無いということであり、このため、人が胴部に表裏から力を掛けると胴部は扁平状態になるように変形し、これによって加圧力が胴部を介して袋体に作用することになり、その結果、内容物の絞り出しを的確に行える。
【００１８】
更に述べると、人がパウチ容器の袋体を絞る場合は、手で掴んで袋体がくしゃくしゃになることが多く、すると、絞り出されずに袋体の内部に内容物が残ったままであることがあるが、本願発明では、胴部が広い面積で袋体に当たっていて袋体は表裏シートが重なるように扁平状態になろうとするため、袋体は表裏のフィルムが重なって扁平になろうとして内容物がしっかりと絞り出されるのである。
【００１９】
更に、本願発明の他の特徴の一つはパウチ容器における袋体の肩部に対応した閉塞部が存在することであり、閉塞部が袋体の肩部に対応して直線状に延びていることにより、閉塞部がリブ効果を発揮して左右外側からの外力に抗する剛性が確保されている。従って、保持具を掴むに当たって左右両側部に指を当てることにより、保持具をしっかりと掴むことができる。つまり、保持具は、左右両側から指先を当てるとしっかりと保持でき、胴部に前後両側から指先を当てると容易に変形させて内容物を的確に絞り出す（押し出す）ことができるのである。
【００２０】
請求項２の構成では、保持具の上部は表裏シートとフラップとで３枚構造になっているため、上部（閉塞部）の剛性が一層高くなって把持機能に優れていると共に、パウチ容器の支持強度にも優れている（扁平な状態には容易に変形するため、絞り出し機能が損なわれることはない。）。また、保持具はシート材を材料にして打ち抜き・折り曲げ・固定という工程で簡単に製造できるため、製造コストを低廉に抑えることもできる。
【発明を実施するための最良の形態】
【００２１】
次に、本願発明の実施形態を図面に基づいて説明する。図１〜２では第１実施形態を示し、図３以下では他の実施形態を示している。以下、順次説明する。
【００２２】
(1).パウチ容器の構造と第１実施形態の概略
図１のうち（Ａ）はパウチ容器と保持具との分離斜視図、（Ｂ）は保持具の部分的な展開図、図２のうち（Ａ）は一部破断正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図、（Ｅ）は（Ａ）のＥ−Ｅ視断面図である。
【００２３】
パウチ容器は従来から知られているものであり、袋体１と注出具２とを有している。袋体１は表裏フィルム３，４と底フィルム（図示せず）とを溶着して製造されており、内容物を充填すると底フィルムは平面視で略円形に近い状態に広がる。注出具２は袋体１の上部の左右中間部に取り付けており、このため、袋体１の上端部のうち注出具２の左右両側の部分は溶着された肩部１ａになっている。袋体１の左右両側部も溶着部になっており、このサイド溶着部を符号１ｂで表示している。敢えて述べるまでもないが、袋体１は内容物を入れていない状態及び内容物を排出し切った状態では表裏フィルム３，４が重なって扁平な状態になる（底フィルムは２枚に折り畳まれた状態になる。）。
【００２４】
図２（Ａ）（Ｃ）（Ｄ）に示すように、注出具２は、上下に貫通した筒状の注出具本体５と、注出具本体５に取り付けたキャップ（ねじ蓋）６とから成っている。注出具本体５の下部は左右長手で底面視（平断面視）略六角形の溶着部７になっており、この溶着部７にフィルム１の表裏フィルム３，４が溶着されている。溶着部７には複数本の低いリブ７ａが形成されている。なお、溶着部７は底面視において左右両端に向けて間隔が狭まる目玉形状とすることも可能である。
【００２５】
注出具本体５のうち溶着部７を除いた部分は袋体１の外側に露出した露出部になっており、露出部の下端に、溶着部７と相似形でかつ底面視において溶着部７から僅かに外向きに張り出した第１フランジ８が形成されており、更に、第１フランジ８の上方には溶着部７とほぼ同じ底面視形状でかつ第１フランジ８よりも外側にはみ出した第２フランジ９が形成されており、更に、第２フランジ９の上方には、円形の第３フランジ１０が形成されている。第３フランジ１０は、第２フランジ９の前後両側にはみ出ているが、左右両側にははみ出ていない。
【００２６】
注出具本体５のうち第１フランジ８と第２フランジ９との間の部分は、左右のリブ５ａを設けることで平断面視で全体的に四角形状になっている。パウチ容器に内容物を充填する工程では、シュートの溝にリブ５ａを通すことで水平旋回不能に保持しつつ、シュートで第２フランジ９を吊支して移動させる。注出具本体５のうち第３フランジ１０の上方の部分は雄ねじ部になっており、この雄ねじ部にキャップ６がねじ込まれている。キャップ６の下端には、バージン性を確認するためのタッパーエビデンスバンド６ａが引きちぎり可能なブリッジ部（図せず）を介して一体に繋がっている。
【００２７】
パウチ容器の表裏フィルム３，４は縦長長方形の形態になっており、本願発明では、人が表裏フィルム３と対向した状態を基準にして上下と前後と左右との方向を定義している。但し、表裏フィルム３，４は単に区別することに意義があるに過ぎず、どちらが表であっても裏であっても構わない。左右の意義も同じである。なお、図１（Ａ）では注出具本体５の第１及び第２フランジ８，９は表示していない。
【００２８】
(2).保持具の詳細
保持具は、例えば０．２〜０．５ｍｍ程度のポリプロピレンシートのように撓み変形可能な樹脂シートを材料にして製造されている。従って、平板の状態では人が手で簡単に曲げ変形させることはできるが、例えば直径数ｃｍ〜１０ｃｍ程度の円筒体と成して軸方向に力を掛けると数キロか十数キロの力に耐え得る程度の腰の強さ（剛性）を備えている。保持具は、袋体１に施されている表示の視認性の点から透明又は半透明であるのが好ましい。
【００２９】
そして、保持具は、パウチ容器袋体１をすっぽり覆う大きさの胴部１１で大部分が構成されており、胴部１１は表シート１２と裏シート１３とを有している。表裏シート１２，１３は縦長一側部の左サイド折り目部１４を介して一体に繋がっており、また、裏シート１３の他側には右サイド折り目１５を介して重合片１３ａが一体に繋がっており、重合片１３ａが表シート１２の表面に固定されている。固定手段としては、両面粘着テープや接着剤のような接着手段１６を採用しているが、熱板方式や超音波方式等による溶着やホッチキス止め、或いはミシンによる縫い合わせなども採用できる。スポット溶接のような状態で飛び飛びに溶着してもよい。
【００３０】
保持具における裏シート１３の上端にはフラップ１７がアッパー折り目部１８を介して一体に連続しており、フラップ１７は表シート１２の表面に接着手段１６で固定されている。フラップ１７の固定手段も、接着手段に代えて溶着等の他の手段を採用してもよい。フラップ１７は裏シート１３から遠ざかるほど左右間隔が狭くなる略三角形に形成されているが、四角形や台形等の他の形状でもよい。また、フラップ１７の付け根の左右幅寸法は表裏シート１２，１３の左右幅寸法よりもやや小さい寸法に設定しているが、寸法は任意に設定できる。フラップ１７の左右端部は裏シート１３の重合片１３ａとは多少間隔を空けておくのが好ましい。
【００３１】
裏シート１３から連続したフラップ１７が表シート１２に固定されているため、胴部１１の上端はアッパー折り目部１８の箇所で閉塞している。従って、本実施形態ではアッパー折り目部１８を中心にした表裏の部分が閉塞部１９になっている。そして、保持具の閉塞部１９（或いは胴部１１の上部）の左右中間部に、パウチ容器の注出具２が貫通する逃がし穴２０が空いている。
【００３２】
逃がし穴２０は上向きに切り開かれた形状になっているが、フラップ１７は裏シート１３に連続しているので、図１（Ｂ）に示すように、展開した状態での裏シート１３とフラップ１７との逃がし穴２０は閉じた角形になっている。他方、表シート１２の逃がし穴２０は上向きに切り開かれている。アッパー折り目部１８のうち逃がし穴２０に向いた端部が請求項に記載したサイドストッパー部２１になっており、サイドストッパー部２１は僅かの寸法ながら第２フランジ９の左右端部に下方から当たるようになっている。逃がし穴２０の下端縁部は注出具本体５の溶着部７と重なるように設定している。
【００３３】
(3).まとめ
パウチ容器の袋体１は内容物を充填すると大きく膨らむ。他方、保持具は使用前においては扁平な状態になっていてこのため運搬や保管において嵩張ることはないが、胴部１１に人が左右両側から圧力を掛けると胴部１１は撓み変形して筒状に膨らむ。従って、パウチ容器に上方から嵌め込むことでき、かつ、逃がし穴２０の箇所を注出具本体５の露出部に強制的に嵌め入れることができる。
【００３４】
胴部１１は膨らむことで上部で表裏シート１２，１３が二股状の姿勢になるが、表裏シート１２，１３が広がることには限度があり、この胴部１１を膨らませてもめ逃がし穴２０は平面視で左右に細長い形状になっている一方、注出具本体５のキャップは円形であり、このため、保持具は、サイドストッパー部２１を初めとした逃がし穴２０の周辺部を弾性変形させることにより、注出具本体５の露出部に嵌め込むことになる。
【００３５】
そして、保持具の素材のシートはかなりの腰の強さを持っているため、表裏シート１２，１３は互いに重なった状態に戻ろうとする傾向を呈しており、このため、表裏シート１２，１３は逃がし穴２０の下端縁の箇所が袋体１の上部（注出具本体５の溶着部７）に前後から密着している。また、表裏シート１２，１３で注出具本体５の溶着部７を前後から挟持した状態の下で、保持具の左右サイドストッパー部２１が注出具本体５の第２フランジ９に下方から当接した状態が保持されている。
【００３６】
本実施形態では、アッパー折り目部１８の一部をサイドストッパー部２１に兼用しているが、アッパー折り目部１８の箇所はリブ効果が生じていて単なる１枚板の場合に比べて断面係数が格段に高くなっており、その結果、下向きの荷重に対する高い支持強度が確保されている。このため、僅かの面積で第２フランジ９を支持しているに過ぎない状態でも、パウチ容器を安定的に支持できる。
【００３７】
また、サイドストッパー部２１の支持強度は表裏シート１２，１３の成す角度と反比例するが、保持具をパウチ容器に嵌め込むに当たっては、サイドストッパー部２１が第２フランジ９に上方から当たるに際して表裏シート１２，１３が大きい角度に広がって強度が低下するため、パウチ容器への嵌め込みを容易に行える。また、表シート１２はサイドストッパー部２１を補強する機能を有しており、このためサイドストッパー部２１の支持機能がより強くなっているが、表シート１２の上端は自由端になっているため、保持具をパウチ容器に嵌め込むに際して表シート１２が抵抗になることはない。
【００３８】
更に、表裏シート１２，１３を溶着部７から前後に離そうとすると、左右サイドサイドストッパー部２１の間隔は狭まって当該左右サイドストッパー部２１と第２フランジ９との当接寸法（支持寸法）が大きくなり、従って、保持具の上部はパウチ容器に対して簡単には抜けない状態に保持されている。サイドストッパー部２１が変形するほどの力を掛けると、保持具をパウチ容器から抜き外すことが可能である。従って、１つの保持具を複数のパウチ容器に付け替えることができる。
【００３９】
サイドストッパー部２１でパウチ容器の第２フランジ９を支持した状態で、保持具の下端はパウチ容器の下端より僅かに下向き突出しているか、又は、同一面を成すように設定している。もとより、パウチ容器の下端が保持具の下端より多少下向き突出していてもよい。
【００４０】
シート材は、曲げ応力は小さいが圧縮応力は大きいという性質がある。そして、保持具は、左右の折り目１４，１５があることとアッパー折り目部１８が存在することとにより、左右方向の外力に対しては高い剛性が確保されている（特に、アッパー折り目部１８の存在によって左右方向の外力に対する突っ張り抵抗が大きい。）。従って、人は保持具を持つにおいてサイド折り目部１４，１５に指先を当てることにより、袋体１を加圧することなく保持具をしっかりと把持できる。その結果、パウチ容器を傾けて内容物を注ぎ出すにおいて、力の加減を誤って内容物を出し過ぎるということはないのである。
【００４１】
保持具の逃がし穴２０は、その下端縁を注出具本体５の溶着部７より下方に位置させることも可能であるが、本実施形態のように逃がし穴２０の下端縁が注出具本体５の溶着部７に重なる（正確には表裏シートフィルム３，４を介して溶着部７に重なる）ように設定すると、保持具にこれを偏平化させようとする強い弾性復元力が作用してもその復元力が袋体１に強く作用することを防止又は抑制できるため、保持具を厚いシート材で製造しても、開封すると保持具の弾性復元力によってパウチ容器から内容物が出てしまうという不具合はない。
【００４２】
また、パウチ容器の内容物がシャンプーのような粘度の高いものである場合は袋体１を加圧して内容物を押し出さねばならない場合があるが、その場合は、表裏シート１２，１３を互いに密着する方向に押すことにより、袋体１を扁平な状態に成すことができ、従って、内容物を殆ど残らず押し出すことが可能になる。特に、本実施形態では、袋体１は注出具本体５に重なっている部分を除いて上部においても表裏シート１２，１３が密着し得るため、袋体１を殆ど全面積にわたって扁平状態になるように押すことができ、その結果、内容物の押し出し（絞り出し）機能をより的確に発揮させることができる。
【００４３】
例えば本願出願が意匠登録第１３１７７３３号において開示したように、パウチ容器には袋体１の左右両側部を内側にえぐった形状のものがあるが、このようなパウチ容器に使用する場合は、図１（Ａ）に一点鎖線で示すように、胴部１１に内向きのえぐり凹所２２を形成してもよい。えぐり凹所２２が形成されている保持具をストレート形状のパウチ容器に使用することも可能である。パウチ容器が第２フランジ９の他に第１フランジ８と第３フランジ１０とを有している場合、保持具には、第１フランジ８又は第３フランジ１０に当接するストッパー部を設けることも可能である。
【００４４】
逃がし穴２０の形状は角形である必然性はないのであり、例えば下向き凸の半円状な台形に形成することも可能である。また、サイドストッパー部２１を表シート１２の上端に形成して、表シート１２の上端縁を第２フランジ９に当てることも能である（この場合は、アッパー折り目部１８のうち逃がし穴２０に向いた部分は切除することになる。）。
【００４５】
(4).第２実施形態（図３）
図３では第２実施形態を示している。（Ａ）は保持具の部分的な正面図、（Ｂ）は展開状態での正面図、（Ｃ）は（Ａ）のＣ−Ｃ視断面図である。この第２実施形態は、フラップ１７を表シート１２に固定する手段の別例であり、スナップ係合式になっている。
【００４６】
すなわち、フラップ１７の左右中間部に、展開状態で下向きに突出した舌片２４を切り込み形成している一方、表シート１２には、フラップ１７を折り返すと舌片２４を下方から嵌め込みできる第１切り線２５を形成し、かつ、表シート１２には、第１切り線２５に連続した左右２本の縦長の第２切り線２６と、第２切り線２５に連続した横長の１本の第３切り線２７とを形成している。
【００４７】
第２切り線２５と第３切り線２７とは、舌片２４を第１切り線２５に嵌め込むに際して表シート１２の変形を容易ならしめるための補助的なものである。この実施形態では、接着剤や溶着装置を要することなくフラップ１７を表シート１２に固定（一体化）できる。舌片２４は表シート１２の内側に位置しているが、組み立てた状態で上向き姿勢になっているため、保持具をパウチ容器に嵌め込むに際して舌片２４がパウチ容器のキャップに引っ掛かるような不具合はない。
【００４８】
(5).第３〜第７実施形態（図４）
図４では第３〜第７実施形態を示している。このうち（Ａ）に示す第３実施形態では、第２フランジ９に当接するサイドストッパー部２１に加えて、裏シート１３とフラップ１７とに、第３フランジ１０に当接する前後ストッパー部２８を設けている。他方、（Ｂ）に示す第４実施形態では、第２フランジ９に当接するサイドストッパー部２１に加えて、表裏裏シート１２，１３とフラップ１７とに、第１フランジ１０に当接する前後ストッパー部２８を設けている。
【００４９】
（Ｂ）に一点鎖線で示すように、逃がし穴２０を溶着部７の下方までずらしたり、（Ｂ）に一点鎖線で示すように、逃がし穴２０の下端縁は注出具本体５の溶着部７に重ねつつ、逃がし穴２０の左右両端に下向きの切り線（切り込み）２９を形成したりすることも可能である。このように形成すると、パウチ容器への嵌め込みに際しての抵抗を小さくすることができる。
【００５０】
（Ｃ）に示す第５実施形態では、ストッパー手段として第１実施形態のようにサイドストッパー部２１のみを形成した場合において、サイドストッパー部２１を注出具本体５の軸心に向けてオーバーハング状態に形成している。この実施形態では、サイドストッパー部２１の支持効果が一層高くなる利点がある。
【００５１】
（Ｄ）に示す第６実施形態では、表裏シート１２，１３はアッパー折り目部１８を介して一体に連続しており、左右の側部はヒートシール等の溶着や接着剤による接着等によって固定している（サイド固定部を符号１１ｂで表示している。）。従って、この実施形態はごくシンプルな構造になっている。胴部１１の弾性復元力が強すぎる場合は、符号３０を付した一点鎖線で示すように、胴部１１の上部の左右コーナー部をカットするとよい。
【００５２】
（Ｅ）及び（Ｆ）で示すのは第７実施形態であり、この第７実施形態では、保持具は円筒状のチューブ体（（Ｆ）の一点鎖線参照）を素材として製造されており、表裏シートの上端部を溶着することで閉塞部１９を形成している。この実施形態では、保持具は下端に行くほどの素材の円形に近い状態になっている。もとより、左右の折り目を付けておくことも可能である。
【００５３】
(5).その他
本願発明は上記の実施形態の他にも様々に具体化できる。例えば、上記した各実施形態は組み合わせることも可能である（例えば図４（Ｄ）及び（Ｅ）の形態に図４（Ｃ）のサイドストッパー部を組み合わせる。）。また、保持具は必要な強度を損なわない範囲で窓穴を設けたり、縦長や横長等の補強リブを設けたりすることも可能である。
【００５４】
既述のとおり保持具は射出成形によって製造することも可能である。また、シート材を製造する場合、強度等の必要な機能さえ確保しておれば素材には限定はないのであり、例えば厚紙の単層品、厚紙の表裏に樹脂フィルムをラミネートした複合品など、様々のものを使用できる。また、保持具は、表裏シートを別々に用意して、両者の左右サイド部とアッパー部とを溶着等の手段で固定して製造することも可能である。
【図面の簡単な説明】
【００５５】
【図１】第１実施形態の外観を示す図である。
【図２】パウチ容器及び第１実施形態の細部を示す図である。
【図３】第２実施形態の構造を示す図である。
【図４】第３〜第７実施形態を示す図である。
【符号の説明】
【００５６】
１  パウチ容器を構成する袋体
２  パウチ容器を構成する注出具
５  パウチ容器の注出具本体
６  注出具を構成するキャップ
８〜１０  注出具本体のフランジ
１１  保持具の胴部
１２  表シート
１３  裏シート
１４，１５  サイド折り目部
１６  接着手段
１７  フラップ
１８  アッパー折り目部
１９  閉塞部
２０  逃がし穴
２１  サイドストッパー部
【図１】
2009227331.tif 000003
【図２】
2009227331.tif 000004
【図３】
2009227331.tif 000005
【図４】
2009227331.tif 000006